(57)【要約】本発明の実施形態は、Ｂｌｕｅｔｏｏｔｈデバイスのための通信方法、およびＢｌｕｅｔｏｏｔｈデバイスを開示する。通信方法は、受信信号強度インジケータＲＳＳＩを取得すること、取得したＲＳＳＩを所定の値と比較すること、比較結果に基づいてＢｌｕｅｔｏｏｔｈ送信リンクを決定することであって、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである、決定すること、および決定したＢｌｕｅｔｏｏｔｈ送信リンクに基づいてＢｌｕｅｔｏｏｔｈ信号を送信することを含む。本発明の実施形態で提供されるＢｌｕｅｔｏｏｔｈ通信方法およびＢｌｕｅｔｏｏｔｈデバイスによれば、２つのタイプの送信リンクがＢｌｕｅｔｏｏｔｈデバイスで構成され、ＢｌｕｅｔｏｏｔｈデバイスのＲＳＳＩ値が検出され、検出されたＲＳＳＩ値が所定の値と比較され、Ｂｌｕｅｔｏｏｔｈデバイスの送信リンクが比較結果に基づいて決定される。このようにして、Ｂｌｕｅｔｏｏｔｈデバイスの送信電力が十分に高いことが保証されるとき、Ｂｌｕｅｔｏｏｔｈデバイスの送信のための電力消費が削減される。したがって、Ｂｌｕｅｔｏｏｔｈデバイスは、比較的高い送信電力で動作することができ、それによって、Ｂｌｕｅｔｏｏｔｈデバイスの動作時間を比較的延長する。
2019535206.tif 000002
【特許請求の範囲】
【請求項１】
Ｂｌｕｅｔｏｏｔｈデバイスのための通信方法であって、
受信信号強度インジケータＲＳＳＩを取得するステップと、
取得したＲＳＳＩを所定の値と比較するステップと、
比較結果に基づいてＢｌｕｅｔｏｏｔｈ送信リンクを決定するステップであって、前記Ｂｌｕｅｔｏｏｔｈ送信リンクは第１の送信リンクおよび第２の送信リンクを含み、前記第１の送信リンクは、Ｂｌｕｅｔｏｏｔｈモジュールの内部電力増幅器の送信リンクであり、前記第２の送信リンクは、前記Ｂｌｕｅｔｏｏｔｈモジュールの前記内部電力増幅器と前記Ｂｌｕｅｔｏｏｔｈモジュールの外部電力増幅器の組合せの送信リンクであるステップと、
決定したＢｌｕｅｔｏｏｔｈ送信リンクに基づいてＢｌｕｅｔｏｏｔｈ信号を送信するステップと
を含む方法。
【請求項２】
前記所定の値は第１のしきい値および第２のしきい値を含み、比較結果に基づいてＢｌｕｅｔｏｏｔｈ送信リンクを決定する前記ステップは、具体的には、
前記ＲＳＳＩが前記第１のしきい値よりも大きい場合、前記Ｂｌｕｅｔｏｏｔｈ送信リンクが前記第１の送信リンクであると決定するステップ、または
前記ＲＳＳＩが前記第２のしきい値未満である場合、前記Ｂｌｕｅｔｏｏｔｈ送信リンクが前記第２の送信リンクであると決定するステップ
を含む請求項１に記載の方法。
【請求項３】
前記Ｂｌｕｅｔｏｏｔｈデバイスは電力制御テーブルを含み、前記電力制御テーブルは高利得クラスおよび低利得クラスを含み、前記Ｂｌｕｅｔｏｏｔｈ送信リンクが前記第１の送信リンクであると決定されるとき、前記電力制御テーブルが前記高利得クラスに調節され、前記Ｂｌｕｅｔｏｏｔｈ送信リンクが前記第２の送信リンクであると決定されるとき、前記電力制御テーブルが前記低利得クラスに調節される請求項１または２に記載の方法。
【請求項４】
前記Ｂｌｕｅｔｏｏｔｈデバイスは２次Ｂｌｕｅｔｏｏｔｈデバイスであり、受信信号強度インジケータＲＳＳＩを取得する前記ステップは、具体的には、１次Ｂｌｕｅｔｏｏｔｈデバイスによって検出された前記２次ＢｌｕｅｔｏｏｔｈデバイスのＲＳＳＩを前記２次Ｂｌｕｅｔｏｏｔｈデバイスによって受信するステップである請求項１乃至３のいずれか一項に記載の方法。
【請求項５】
前記Ｂｌｕｅｔｏｏｔｈデバイスは１次Ｂｌｕｅｔｏｏｔｈデバイスであり、受信信号強度インジケータＲＳＳＩを取得する前記ステップは、２次ＢｌｕｅｔｏｏｔｈデバイスのＲＳＳＩを前記１次Ｂｌｕｅｔｏｏｔｈデバイスによって取得するステップであり、比較結果に基づいてＢｌｕｅｔｏｏｔｈ送信リンクを決定する前記ステップは、前記比較結果に基づいて前記Ｂｌｕｅｔｏｏｔｈ送信リンクを前記１次Ｂｌｕｅｔｏｏｔｈデバイスによって決定するステップである請求項１乃至３のいずれか一項に記載の方法。
【請求項６】
受信信号強度インジケータＲＳＳＩを取得するように構成された取得ユニットと、
取得したＲＳＳＩを所定の値と比較し、比較結果に基づいてＢｌｕｅｔｏｏｔｈ送信リンクを決定するように構成された処理装置であって、前記Ｂｌｕｅｔｏｏｔｈ送信リンクは第１の送信リンクおよび第２の送信リンクを含み、前記第１の送信リンクは、Ｂｌｕｅｔｏｏｔｈモジュールの内部電力増幅器の送信リンクであり、前記第２の送信リンクは、前記Ｂｌｕｅｔｏｏｔｈモジュールの前記内部電力増幅器と前記Ｂｌｕｅｔｏｏｔｈモジュールの外部電力増幅器の組合せの送信リンクである処理装置と、
前記処理装置によって決定された前記Ｂｌｕｅｔｏｏｔｈ送信リンクに基づいてＢｌｕｅｔｏｏｔｈ信号を送信するように構成された信号送信ユニットと
を備えるＢｌｕｅｔｏｏｔｈデバイス。
【請求項７】
前記所定の値は第１のしきい値および第２のしきい値を含み、比較結果に基づいてＢｌｕｅｔｏｏｔｈ送信リンクを決定する前記ステップは、具体的には、
前記ＲＳＳＩが前記第１のしきい値よりも大きい場合、前記Ｂｌｕｅｔｏｏｔｈ送信リンクが前記第１の送信リンクであると前記処理装置が決定すること、または
前記ＲＳＳＩが前記第２のしきい値未満である場合、前記Ｂｌｕｅｔｏｏｔｈ送信リンクが前記第２の送信リンクであると前記処理装置が決定すること
を含む請求項６に記載のＢｌｕｅｔｏｏｔｈデバイス。
【請求項８】
前記Ｂｌｕｅｔｏｏｔｈデバイスが電力制御テーブルを含み、前記電力制御テーブルは高利得クラスおよび低利得クラスを含み、前記Ｂｌｕｅｔｏｏｔｈ送信リンクが前記第１の送信リンクであると決定するとき、前記処理装置は、前記電力制御テーブルを前記高利得クラスに調節し、前記Ｂｌｕｅｔｏｏｔｈ送信リンクが前記第２の送信リンクであると決定するとき、前記処理装置は、前記電力制御テーブルを前記低利得クラスに調節する請求項６または７に記載のＢｌｕｅｔｏｏｔｈデバイス。
【請求項９】
前記Ｂｌｕｅｔｏｏｔｈデバイスは２次Ｂｌｕｅｔｏｏｔｈデバイスであり、前記２次Ｂｌｕｅｔｏｏｔｈデバイスは、１次Ｂｌｕｅｔｏｏｔｈデバイスによって検出された前記２次ＢｌｕｅｔｏｏｔｈデバイスのＲＳＳＩを前記１次Ｂｌｕｅｔｏｏｔｈデバイスから受信するように構成された受信ユニットを備える請求項６乃至８のいずれか一項に記載のＢｌｕｅｔｏｏｔｈデバイス。
【請求項１０】
前記Ｂｌｕｅｔｏｏｔｈデバイスは１次Ｂｌｕｅｔｏｏｔｈデバイスであり、受信信号強度インジケータＲＳＳＩを取得することは、２次ＢｌｕｅｔｏｏｔｈデバイスのＲＳＳＩを前記１次Ｂｌｕｅｔｏｏｔｈデバイスによって取得することであり、比較結果に基づいてＢｌｕｅｔｏｏｔｈ送信リンクを決定することは、前記比較結果に基づいて前記Ｂｌｕｅｔｏｏｔｈ送信リンクを前記１次Ｂｌｕｅｔｏｏｔｈデバイスによって決定することである請求項６乃至８のいずれか一項に記載のＢｌｕｅｔｏｏｔｈデバイス。
【請求項１１】
受信信号強度インジケータＲＳＳＩを取得するように構成された受信機と、
取得したＲＳＳＩを所定の値と比較し、比較結果に基づいてＢｌｕｅｔｏｏｔｈ送信リンクを決定するように構成されたプロセッサであって、前記Ｂｌｕｅｔｏｏｔｈ送信リンクは第１の送信リンクおよび第２の送信リンクを含み、前記第１の送信リンクは、Ｂｌｕｅｔｏｏｔｈモジュールの内部電力増幅器の送信リンクであり、前記第２の送信リンクは、前記Ｂｌｕｅｔｏｏｔｈモジュールの前記内部電力増幅器と前記Ｂｌｕｅｔｏｏｔｈモジュールの外部電力増幅器の組合せの送信リンクであるプロセッサと、
前記処理装置によって決定された前記Ｂｌｕｅｔｏｏｔｈ送信リンクに基づいてＢｌｕｅｔｏｏｔｈ信号を送信するように構成された送信機と
を備えるＢｌｕｅｔｏｏｔｈデバイス。
【請求項１２】
前記所定の値は第１のしきい値および第２のしきい値を含み、比較結果に基づいてＢｌｕｅｔｏｏｔｈ送信リンクを決定することは、具体的には、
前記ＲＳＳＩが前記第１のしきい値よりも大きい場合、前記Ｂｌｕｅｔｏｏｔｈ送信リンクが前記第１の送信リンクであると前記プロセッサが決定すること、または
前記ＲＳＳＩが前記第２のしきい値未満である場合、前記Ｂｌｕｅｔｏｏｔｈ送信リンクが前記第２の送信リンクであると前記プロセッサが決定すること
を含む請求項１１に記載のＢｌｕｅｔｏｏｔｈデバイス。
【請求項１３】
前記Ｂｌｕｅｔｏｏｔｈデバイスは電力制御テーブルを含み、前記電力制御テーブルは高利得クラスおよび低利得クラスを含み、前記Ｂｌｕｅｔｏｏｔｈ送信リンクが前記第１の送信リンクであると決定するとき、前記プロセッサは、前記電力制御テーブルを前記高利得クラスに調節し、前記Ｂｌｕｅｔｏｏｔｈ送信リンクが前記第２の送信リンクであると決定するとき、前記プロセッサは、前記電力制御テーブルを前記低利得クラスに調節する請求項１１または１２に記載のＢｌｕｅｔｏｏｔｈデバイス。
【請求項１４】
前記Ｂｌｕｅｔｏｏｔｈデバイスは２次Ｂｌｕｅｔｏｏｔｈデバイスであり、前記２次Ｂｌｕｅｔｏｏｔｈデバイスの受信機が、１次Ｂｌｕｅｔｏｏｔｈデバイスによって検出された前記２次ＢｌｕｅｔｏｏｔｈデバイスのＲＳＳＩを前記１次Ｂｌｕｅｔｏｏｔｈデバイスから受信するように構成される請求項１１乃至１３のいずれか一項に記載のＢｌｕｅｔｏｏｔｈデバイス。
【請求項１５】
前記Ｂｌｕｅｔｏｏｔｈデバイスは１次Ｂｌｕｅｔｏｏｔｈデバイスであり、受信信号強度インジケータＲＳＳＩを取得することは、２次ＢｌｕｅｔｏｏｔｈデバイスのＲＳＳＩを前記１次Ｂｌｕｅｔｏｏｔｈデバイスによって取得することであり、比較結果に基づいてＢｌｕｅｔｏｏｔｈ送信リンクを決定することは、前記比較結果に基づいて前記Ｂｌｕｅｔｏｏｔｈ送信リンクを前記１次Ｂｌｕｅｔｏｏｔｈデバイスによって決定することである請求項１１乃至１３のいずれか一項に記載のＢｌｕｅｔｏｏｔｈデバイス。
【発明の詳細な説明】
【技術分野】
【０００１】
本発明は通信分野に関し、詳細には、Ｂｌｕｅｔｏｏｔｈデバイスのための通信方法、および関連するＢｌｕｅｔｏｏｔｈデバイスに関する。
【背景技術】
【０００２】
科学技術の発展と共に、ますます多くのＢｌｕｅｔｏｏｔｈ製品が人々の生活の中に現れている。図１Ａおよび図１Ｂは、Ｂｌｕｅｔｏｏｔｈデバイスの一般的な使用シナリオの図である。図２は、現在のメインストリームＷｉ−Ｆｉ／ＢＴ（Ｂｌｕｅｔｏｏｔｈ、ブルートゥース）２−ｉｎ−１モジュールのフロントエンド解決策を示す。干渉除去を考慮して、製品の実際の使用では、ＳＡＷ（ｓｕｒｆａｃｅ  ａｃｏｕｓｔｉｃ  ｗａｖｅ、表面弾性波）構成要素がＢＴチップのフロントエンドに追加されることが図から知られることができる。送信／受信切換えのために使用されるＳＰＤＴ（Ｓｉｎｇｌｅ−ｐｏｌｅ  Ｄｏｕｂｌｅ−Ｔｈｒｏｗ、単極双投）スイッチが、モジュール内部にさらに配設される。回路板の配線損失のために、実際には、Ｂｌｕｅｔｏｏｔｈ機能モジュールのＩＰＡ（ｉｎｔｅｒｎａｌ  Ｐｏｗｅｒ  Ａｍｐｌｉｆｉｅｒ、内部電力増幅器）からの送信電力が、端末製品のアンテナポートに到着するときに低下し、その結果、Ｂｌｕｅｔｏｏｔｈ通信距離が減少する。現在、ＢＴチップの送信電力は約１０ｄＢｍであり、いくつかのＢＴチップの送信電力は１３ｄＢｍから１４ｄＢｍに達することがある。ＢＴ送信電力規格の要件が満たされるとき、ＢＴ通信距離を増大させるために、端末製品のアンテナポートのＢＴ送信電力を可能な限り増大させる必要がある。図３Ａは、従来技術でのＷｉ−ＦｉモードまたはＢＴ受信モードで動作中のＷｉ−Ｆｉ／ＢＴ  ２ーｉｎー１モジュールの概略図である。図３Ｂは、従来技術でのアンテナポートのＢＴ送信電力を増大させるための解決策を示す。具体的には、外部ＰＡ（Ｐｏｗｅｒ  Ａｍｐｌｉｆｉｅｒ、電力増幅器）、すなわちＥＰＡ（Ｅｘｔｅｒｎａｌ  Ｐｏｗｅｒ  Ａｍｐｌｉｆｉｅｒ、外部電力増幅器）がＢＴチップの外部に追加され、それによって、製品のアンテナポートの送信電力が増大し、通信距離が増大する。図３Ｂに示される解決策によれば、ＥＰＡとＩＰＡを縦続接続することによって最大Ｂｌｕｅｔｏｏｔｈ送信電力が実装される。ＩＰＡは、ＥＰＡの入力として働き、ＥＰＡのための励起信号を供給する。ＥＰＡによって出力される送信電力はＢｌｕｅｔｏｏｔｈ送信電力である。前述の解決策によれば、ＢＴ送信電力が有効に増大する。しかしながら、この解決策では、ＩＰＡとＥＰＡが一緒に働くので、システムの電力消費が増大する。その結果、製品の動作時間が減少する。さらに、ＩＰＡの送信電力が比較的高い場合、ＥＰＡの出力電力が飽和することになり、その結果、製品送信インジケータ例外が生じ、通信品質に影響を及ぼす。
【発明の概要】
【０００３】
本発明の実施形態は、Ｂｌｕｅｔｏｏｔｈ送信電力を効果的に増大させ、送信のための電力消費を低減する、Ｂｌｕｅｔｏｏｔｈデバイスのための通信方法およびＢｌｕｅｔｏｏｔｈデバイスを説明する。
【０００４】
一態様によれば、本発明の実施形態は、Ｂｌｕｅｔｏｏｔｈデバイスのための通信方法を提供する。方法は、受信信号強度インジケータＲＳＳＩを取得すること、および取得したＲＳＳＩを所定の値と比較すること、比較結果に基づいてＢｌｕｅｔｏｏｔｈ送信リンクを決定することであって、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである、決定すること、および決定したＢｌｕｅｔｏｏｔｈ送信リンクに基づいてＢｌｕｅｔｏｏｔｈ信号を送信することを含む。この実施形態で提供される解決策によれば、Ｂｌｕｅｔｏｏｔｈデバイスは、実際の信号強度に基づいてＢｌｕｅｔｏｏｔｈ送信リンクを調節することがあり、それによって、Ｂｌｕｅｔｏｏｔｈ送信電力を効果的に増大させると共に、送信のための電力消費を低減する。
【０００５】
可能なケースでは、所定の値は第１のしきい値および第２のしきい値を含み、比較結果に基づいてＢｌｕｅｔｏｏｔｈ送信リンクを決定することは、具体的には、ＲＳＳＩが第１のしきい値よりも大きい場合、Ｂｌｕｅｔｏｏｔｈ送信リンクが第１の送信リンクであると決定すること、またはＲＳＳＩが第２のしきい値未満である場合、Ｂｌｕｅｔｏｏｔｈ送信リンクが第２の送信リンクであると決定することを含む。この実施形態で提供される解決策によれば、Ｂｌｕｅｔｏｏｔｈデバイスは、実際の信号強度に基づいて、内部電力増幅器のリンク、または内部電力増幅器と外部電力増幅器の組合せのリンクを選択することがあり、それによって、Ｂｌｕｅｔｏｏｔｈ送信電力を効果的に増大させると共に、送信のための電力消費を低減する。
【０００６】
可能なケースでは、Ｂｌｕｅｔｏｏｔｈデバイスは電力制御テーブルを含み、電力制御テーブルは高利得クラスおよび低利得クラスを含み、Ｂｌｕｅｔｏｏｔｈ送信リンクが第１の送信リンクであると決定されるとき、電力制御テーブルが高利得クラスに調節され、Ｂｌｕｅｔｏｏｔｈ送信リンクが第２の送信リンクであると決定されるとき、電力制御テーブルが低利得クラスに調節される。この実施形態で提供される解決策によれば、過剰に高いＢｌｕｅｔｏｏｔｈ送信電力によって引き起こされるオーバーフローおよび過剰に低い電力が、電力制御テーブルを調節することによって効果的に防止されることができる。
【０００７】
可能なケースでは、Ｂｌｕｅｔｏｏｔｈデバイスは２次Ｂｌｕｅｔｏｏｔｈデバイスであり、受信信号強度インジケータＲＳＳＩを取得することは、具体的には、１次Ｂｌｕｅｔｏｏｔｈデバイスによって検出された２次ＢｌｕｅｔｏｏｔｈデバイスのＲＳＳＩを２次Ｂｌｕｅｔｏｏｔｈデバイスによって受信することである。この実施形態で提供される解決策によれば、２次Ｂｌｕｅｔｏｏｔｈデバイスは、２次ＢｌｕｅｔｏｏｔｈデバイスのＲＳＳＩを検出する必要がなく、それによって、２次Ｂｌｕｅｔｏｏｔｈデバイスの構造を簡略化し、２次Ｂｌｕｅｔｏｏｔｈデバイスのコストを削減する。
【０００８】
可能なケースでは、Ｂｌｕｅｔｏｏｔｈデバイスは１次Ｂｌｕｅｔｏｏｔｈデバイスであり、受信信号強度インジケータＲＳＳＩを取得することは、２次ＢｌｕｅｔｏｏｔｈデバイスのＲＳＳＩを１次Ｂｌｕｅｔｏｏｔｈデバイスによって取得することであり、比較結果に基づいてＢｌｕｅｔｏｏｔｈ送信リンクを決定することは、比較結果に基づいてＢｌｕｅｔｏｏｔｈ送信リンクを１次Ｂｌｕｅｔｏｏｔｈデバイスによって決定することである。この実施形態で提供される解決策によれば、１次Ｂｌｕｅｔｏｏｔｈデバイスは、２次デバイスの信号強度に基づいて１次Ｂｌｕｅｔｏｏｔｈデバイスの送信電力を調節することができる。
【０００９】
別の態様によれば、本発明の実施形態はＢｌｕｅｔｏｏｔｈデバイスを提供する。Ｂｌｕｅｔｏｏｔｈデバイスは、取得ユニット、処理装置、および信号送信ユニットを含む。取得ユニットは、受信信号強度インジケータＲＳＳＩを取得するように構成される。処理装置は、取得したＲＳＳＩを所定の値と比較し、比較結果に基づいてＢｌｕｅｔｏｏｔｈ送信リンクを決定するように構成され、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。信号送信ユニットは、処理装置によって決定されたＢｌｕｅｔｏｏｔｈ送信リンクに基づいてＢｌｕｅｔｏｏｔｈ信号を送信するように構成される。この実施形態で提供される解決策によれば、Ｂｌｕｅｔｏｏｔｈデバイスは、実際の信号強度に基づいてＢｌｕｅｔｏｏｔｈ送信リンクを調節することがあり、それによって、Ｂｌｕｅｔｏｏｔｈ送信電力を効果的に増大させると共に、送信のための電力消費を低減する。
【００１０】
可能なケースでは、所定の値は第１のしきい値および第２のしきい値を含み、比較結果に基づいてＢｌｕｅｔｏｏｔｈ送信リンクを決定することは、具体的には、ＲＳＳＩが第１のしきい値よりも大きい場合、Ｂｌｕｅｔｏｏｔｈ送信リンクが第１の送信リンクであると処理装置が決定すること、またはＲＳＳＩが第２のしきい値未満である場合、Ｂｌｕｅｔｏｏｔｈ送信リンクが第２の送信リンクであると処理装置が決定することを含む。この実施形態で提供される解決策によれば、Ｂｌｕｅｔｏｏｔｈデバイスは、実際の信号強度に基づいて、内部電力増幅器のリンク、または内部電力増幅器と外部電力増幅器の組合せのリンクを選択することがあり、それによって、Ｂｌｕｅｔｏｏｔｈ送信電力を効果的に増大させると共に、送信のための電力消費を低減する。
【００１１】
可能なケースでは、Ｂｌｕｅｔｏｏｔｈデバイスは電力制御テーブルを含み、電力制御テーブルは高利得クラスおよび低利得クラスを含み、Ｂｌｕｅｔｏｏｔｈ送信リンクが第１の送信リンクであると決定するとき、処理装置は、電力制御テーブルを高利得クラスに調節し、Ｂｌｕｅｔｏｏｔｈ送信リンクが第２の送信リンクであると決定するとき、処理装置は、電力制御テーブルを低利得クラスに調節する。この実施形態で提供される解決策によれば、過剰に高いＢｌｕｅｔｏｏｔｈ送信電力によって引き起こされるオーバーフローおよび過剰に低い電力が、電力制御テーブルを調節することによって効果的に防止されることができる。
【００１２】
可能なケースでは、Ｂｌｕｅｔｏｏｔｈデバイスは２次Ｂｌｕｅｔｏｏｔｈデバイスである。２次Ｂｌｕｅｔｏｏｔｈデバイスは、１次Ｂｌｕｅｔｏｏｔｈデバイスによって検出された２次ＢｌｕｅｔｏｏｔｈデバイスのＲＳＳＩを２次Ｂｌｕｅｔｏｏｔｈデバイスから受信するように構成された受信ユニットを含む。この実施形態で提供される解決策によれば、２次Ｂｌｕｅｔｏｏｔｈデバイスは、２次ＢｌｕｅｔｏｏｔｈデバイスのＲＳＳＩを検出する必要がなく、それによって、２次Ｂｌｕｅｔｏｏｔｈデバイスの構造を簡略化し、２次Ｂｌｕｅｔｏｏｔｈデバイスのコストを削減する。
【００１３】
可能なケースでは、Ｂｌｕｅｔｏｏｔｈデバイスは１次Ｂｌｕｅｔｏｏｔｈデバイスであり、受信信号強度インジケータＲＳＳＩを取得することは、２次ＢｌｕｅｔｏｏｔｈデバイスのＲＳＳＩを１次Ｂｌｕｅｔｏｏｔｈデバイスによって取得することであり、比較結果に基づいてＢｌｕｅｔｏｏｔｈ送信リンクを決定することは、比較結果に基づいてＢｌｕｅｔｏｏｔｈ送信リンクを１次Ｂｌｕｅｔｏｏｔｈデバイスによって決定することである。この実施形態で提供される解決策によれば、１次Ｂｌｕｅｔｏｏｔｈデバイスは、２次デバイスの信号強度に基づいて１次Ｂｌｕｅｔｏｏｔｈデバイスの送信電力を調節することができる。
【００１４】
別の態様によれば、本発明の実施形態はＢｌｕｅｔｏｏｔｈデバイスを提供する。Ｂｌｕｅｔｏｏｔｈデバイスは受信機、プロセッサ、および送信機を含む。受信機は、受信信号強度インジケータＲＳＳＩを取得するように構成される。プロセッサは、取得したＲＳＳＩを所定の値と比較し、比較結果に基づいてＢｌｕｅｔｏｏｔｈ送信リンクを決定するように構成され、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。送信機は、処理装置によって決定されたＢｌｕｅｔｏｏｔｈ送信リンクに基づいてＢｌｕｅｔｏｏｔｈ信号を送信するように構成される。この実施形態で提供される解決策によれば、Ｂｌｕｅｔｏｏｔｈデバイスは、実際の信号強度に基づいてＢｌｕｅｔｏｏｔｈ送信リンクを調節することがあり、それによって、Ｂｌｕｅｔｏｏｔｈ送信電力を効果的に増大させると共に、送信のための電力消費を低減する。
【００１５】
可能なケースでは、所定の値は第１のしきい値および第２のしきい値を含み、比較結果に基づいてＢｌｕｅｔｏｏｔｈ送信リンクを決定することは、具体的には、ＲＳＳＩが第１のしきい値よりも大きい場合、Ｂｌｕｅｔｏｏｔｈ送信リンクが第１の送信リンクであるとプロセッサが決定すること、またはＲＳＳＩが第２のしきい値未満である場合、Ｂｌｕｅｔｏｏｔｈ送信リンクが第２の送信リンクであるとプロセッサが決定することを含む。この実施形態で提供される解決策によれば、Ｂｌｕｅｔｏｏｔｈデバイスは、実際の信号強度に基づいて、内部電力増幅器のリンク、または内部電力増幅器と外部電力増幅器の組合せのリンクを選択することがあり、それによって、Ｂｌｕｅｔｏｏｔｈ送信電力を効果的に増大させると共に、送信のための電力消費を低減する。
【００１６】
可能なケースでは、Ｂｌｕｅｔｏｏｔｈデバイスは電力制御テーブルを含み、電力制御テーブルは高利得クラスおよび低利得クラスを含み、Ｂｌｕｅｔｏｏｔｈ送信リンクが第１の送信リンクであると決定するとき、プロセッサは、電力制御テーブルを高利得クラスに調節し、Ｂｌｕｅｔｏｏｔｈ送信リンクが第２の送信リンクであると決定するとき、プロセッサは、電力制御テーブルを低利得クラスに調節する。この実施形態で提供される解決策によれば、過剰に高いＢｌｕｅｔｏｏｔｈ送信電力によって引き起こされるオーバーフローおよび過剰に低い電力が、電力制御テーブルを調節することによって効果的に防止されることができる。
【００１７】
可能なケースでは、Ｂｌｕｅｔｏｏｔｈデバイスは２次Ｂｌｕｅｔｏｏｔｈデバイスであり、２次Ｂｌｕｅｔｏｏｔｈデバイスの受信機が、１次Ｂｌｕｅｔｏｏｔｈデバイスによって検出された２次ＢｌｕｅｔｏｏｔｈデバイスのＲＳＳＩを受信する。この実施形態で提供される解決策によれば、２次Ｂｌｕｅｔｏｏｔｈデバイスは、２次ＢｌｕｅｔｏｏｔｈデバイスのＲＳＳＩを検出する必要がなく、それによって、２次Ｂｌｕｅｔｏｏｔｈデバイスの構造を簡略化し、２次Ｂｌｕｅｔｏｏｔｈデバイスのコストを削減する。
【００１８】
可能なケースでは、Ｂｌｕｅｔｏｏｔｈデバイスは１次Ｂｌｕｅｔｏｏｔｈデバイスであり、受信信号強度インジケータＲＳＳＩを取得することは、２次ＢｌｕｅｔｏｏｔｈデバイスのＲＳＳＩを１次Ｂｌｕｅｔｏｏｔｈデバイスによって取得することであり、比較結果に基づいてＢｌｕｅｔｏｏｔｈ送信リンクを決定することは、比較結果に基づいてＢｌｕｅｔｏｏｔｈ送信リンクを１次Ｂｌｕｅｔｏｏｔｈデバイスによって決定することである。この実施形態で提供される解決策によれば、１次Ｂｌｕｅｔｏｏｔｈデバイスは、２次デバイスの信号強度に基づいて１次Ｂｌｕｅｔｏｏｔｈデバイスの送信電力を調節することができる。
【００１９】
前述の解決策から、本発明の実施形態で提供されるＢｌｕｅｔｏｏｔｈ通信方法およびＢｌｕｅｔｏｏｔｈデバイスによれば、２つのタイプの送信リンクがＢｌｕｅｔｏｏｔｈデバイスで構成され、ＢｌｕｅｔｏｏｔｈデバイスのＲＳＳＩ値が検出され、検出されたＲＳＳＩ値が所定の値と比較され、Ｂｌｕｅｔｏｏｔｈデバイスの送信リンクが比較結果に基づいて決定されることが知られることができる。このようにして、Ｂｌｕｅｔｏｏｔｈデバイスの送信電力が十分に高いことが保証されるとき、Ｂｌｕｅｔｏｏｔｈデバイスの送信のための電力消費が削減される。したがって、Ｂｌｕｅｔｏｏｔｈデバイスは、比較的高い送信電力で動作することができ、それによって、Ｂｌｕｅｔｏｏｔｈデバイスの動作時間を比較的延長する。
【図面の簡単な説明】
【００２０】
本発明の実施形態または従来技術での技術的解決策をよりはっきりと説明するために、以下では、実施形態または従来技術を説明するために必要な添付の図面を簡潔に説明する。明らかに、以下の説明での添付の図面は、本発明のいくつかの実施形態を示し、これらの添付の図面から創造的努力なしに他の図面を当業者は導出し得る。
【図１Ａ】Ｂｌｕｅｔｏｏｔｈデバイスの使用シナリオの図である。
【図１Ｂ】Ｂｌｕｅｔｏｏｔｈデバイスの使用シナリオの図である。
【図２】従来技術でのＷｉ−Ｆｉ／ＢＴモジュールの概略図である。
【図３Ａ】本発明の技術でのＢｌｕｅｔｏｏｔｈチップの外部電力増幅器の動作ステータスの概略図である。
【図３Ｂ】本発明の技術でのＢｌｕｅｔｏｏｔｈチップの外部電力増幅器の動作ステータスの概略図である。
【図４】本発明の実施形態によるＢｌｕｅｔｏｏｔｈデバイスの概略図である。
【図５】本発明の実施形態によるＢｌｕｅｔｏｏｔｈデバイスのための通信方法のフローチャートである。
【図６】本発明の実施形態によるＢｌｕｅｔｏｏｔｈデバイスのための別の通信方法のフローチャートである。
【図７】本発明の実施形態によるＢｌｕｅｔｏｏｔｈデバイスのための別の通信方法のフローチャートである。
【図８】本発明の実施形態によるＢｌｕｅｔｏｏｔｈデバイスの概略図である。
【図９】本発明の実施形態による別のＢｌｕｅｔｏｏｔｈデバイスの概略図である。
【図１０】本発明の実施形態による別のＢｌｕｅｔｏｏｔｈデバイスの概略図である。
【発明を実施するための形態】
【００２１】
本発明の実施形態の目的、技術的解決策、および利点をより明確にするために、以下では、本発明の実施形態での添付の図面を参照しながら本発明の実施形態での技術的解決策を説明する。明らかに、記載の実施形態は、本発明の実施形態のすべてではなく、一部である。創造的努力なしに本発明の実施形態に基づいて当業者によって得られるすべての他の実施形態は、本発明の保護範囲内に包含されるものとする。
【００２２】
外部電力増幅器がその中に配設されるＢｌｕｅｔｏｏｔｈ製品の過剰に高い送信電力の結果として生じる、過剰に高い電力消費、および場合によっては引き起こされるＢｌｕｅｔｏｏｔｈ送信電力の飽和という従来技術の問題を解決するために、本発明の実施形態は、Ｂｌｕｅｔｏｏｔｈ製品の送信電力を調節するための解決策を提案する。本発明の実施形態によれば、図３Ａおよび図３Ｂに示されるＢｌｕｅｔｏｏｔｈデバイスの概略構造図に基づいて改善が行われる。図４に示されるように、Ｂｌｕｅｔｏｏｔｈデバイスは２つのタイプの送信リンクを提供し、その結果、Ｂｌｕｅｔｏｏｔｈデバイスは、実際の状況に基づいて送信電力を調節することができ、それによってＢｌｕｅｔｏｏｔｈデバイスの動作時間を延長すると共に、Ｂｌｕｅｔｏｏｔｈ送信電力を保証する。
【００２３】
図４は、本発明の実施形態によるＢｌｕｅｔｏｏｔｈデバイスの概略構造図である。この実施形態では、２つの送信リンク、すなわち第１の送信リンクおよび第２の送信リンクがＢｌｕｅｔｏｏｔｈデバイス内に構成される。第１の送信リンクでは、Ｂｌｕｅｔｏｏｔｈチップの内部電力増幅器によってＢｌｕｅｔｏｏｔｈ送信電力が増幅され、第２の送信リンクでは、Ｂｌｕｅｔｏｏｔｈチップの内部電力増幅器および外部電力増幅器によってＢｌｕｅｔｏｏｔｈ送信電力が増幅されることが図から知られることができる。
【００２４】
図５から図７を参照して、以下では、本発明の実施形態によるＢｌｕｅｔｏｏｔｈデバイスのための通信方法を詳細に説明する。
【００２５】
図５は、本発明の実施形態によるＢｌｕｅｔｏｏｔｈデバイスのための通信方法を示す。
【００２６】
ステップ５０１：Ｂｌｕｅｔｏｏｔｈデバイスが受信信号強度インジケータＲＳＳＩを取得する。
【００２７】
ステップ５０２：取得したＲＳＳＩをプリセット値と比較する。
【００２８】
プリセット値は、製品の実際の要件に基づいて決定される。実際の実装では、プリセット値はアンテナ品質にも関係付けられる。可能なケースは、２つのプリセット値、すなわち第１のしきい値および第２のしきい値があることである。例えば、プリセット値は−７０および−６５である。
【００２９】
ステップ５０３：比較結果に基づいてＢｌｕｅｔｏｏｔｈ送信リンクを決定する。
【００３０】
Ｂｌｕｅｔｏｏｔｈ送信リンクは第１の送信リンクおよび第２の送信リンクを含む。図４に示されるように、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。一般に、取得したＲＳＳＩ値が比較的小さいとき、例えば第１のしきい値未満であるとき、それは、このケースではＢｌｕｅｔｏｏｔｈ信号が比較的弱く、Ｂｌｕｅｔｏｏｔｈ送信電力を比較的大きい値に調節される必要があることを示す。第２の送信リンクの送信電力は比較的高く、その結果、このケースでは、Ｂｌｕｅｔｏｏｔｈ送信リンクが第２の送信リンクであると決定される。そうではなく、取得したＲＳＳＩ値が比較的大きいとき、例えば第１のしきい値より大きいとき、それは、このケースではＢｌｕｅｔｏｏｔｈ信号が比較的強く、比較的高い送信電力は不要であり、このケースでは、Ｂｌｕｅｔｏｏｔｈ送信リンクが第１の送信リンク、言い換えればＢｌｕｅｔｏｏｔｈモジュールの内部電力増幅器の送信リンクであると決定されることを示す。
【００３１】
ステップ５０４：決定したＢｌｕｅｔｏｏｔｈ送信リンクに基づいてＢｌｕｅｔｏｏｔｈ信号を送信する。
【００３２】
前述の実施形態で提供されるＢｌｕｅｔｏｏｔｈ通信方法によれば、２つのタイプの送信リンクがＢｌｕｅｔｏｏｔｈデバイス内で提供され、その結果、Ｂｌｕｅｔｏｏｔｈデバイスは、実際の状況に基づいて送信電力を調節することができ、それによって、Ｂｌｕｅｔｏｏｔｈデバイスの動作時間を延長すると共に、Ｂｌｕｅｔｏｏｔｈ送信電力を保証する。
【００３３】
図６は、本発明の実施形態によるＢｌｕｅｔｏｏｔｈデバイスのための通信方法を示す。
【００３４】
ステップ６０１：Ｂｌｕｅｔｏｏｔｈデバイスが受信信号強度インジケータＲＳＳＩを取得する。
【００３５】
ステップ６０２：取得したＲＳＳＩをプリセット値と比較し、ＲＳＳＩが第１のしきい値よりも大きい場合、ステップ６０３を実施し、またはＲＳＳＩが第２のしきい値未満である場合、ステップ６０４を実施する。
【００３６】
ステップ６０３：Ｂｌｕｅｔｏｏｔｈ送信リンクが第１の送信リンクであると決定し、Ｂｌｕｅｔｏｏｔｈデバイスは、第１の送信リンクを通じてＢｌｕｅｔｏｏｔｈ信号を送信する。
【００３７】
ステップ６０４：Ｂｌｕｅｔｏｏｔｈ送信リンクが第２の送信リンクであると決定し、Ｂｌｕｅｔｏｏｔｈデバイスは、第２の送信リンクを通じてＢｌｕｅｔｏｏｔｈ信号を送信する。
【００３８】
前述の実施形態で提供されるＢｌｕｅｔｏｏｔｈ通信方法によれば、２つのタイプの送信リンクがＢｌｕｅｔｏｏｔｈデバイス内で提供され、その結果、Ｂｌｕｅｔｏｏｔｈデバイスは、実際の状況に基づいて送信電力を調節することができ、それによって、Ｂｌｕｅｔｏｏｔｈデバイスの動作時間を延長すると共に、Ｂｌｕｅｔｏｏｔｈ送信電力を保証する。
【００３９】
図７は、本発明の実施形態によるＢｌｕｅｔｏｏｔｈデバイスのための通信方法を示す。この実施形態では、Ｂｌｕｅｔｏｏｔｈ電力制御テーブルが使用される。Ｂｌｕｅｔｏｏｔｈ電力制御テーブルは、Ｂｌｕｅｔｏｏｔｈ電力クラスと出力電力との間の関係を記録し、Ｂｌｕｅｔｏｏｔｈ出力電力を制御するために使用される。
【００４０】
ステップ７０１：Ｂｌｕｅｔｏｏｔｈデバイスが受信信号強度インジケータＲＳＳＩを取得する。
【００４１】
ステップ７０２：取得したＲＳＳＩをプリセット値と比較し、ＲＳＳＩが第１のしきい値よりも大きい場合、ステップ７０３を実施し、またはＲＳＳＩが第２のしきい値未満である場合、ステップ７０４を実施する。
【００４２】
Ｂｌｕｅｔｏｏｔｈ送信リンクは第１の送信リンクおよび第２の送信リンクを含む。図４に示されるように、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。一般に、取得したＲＳＳＩ値が比較的小さいとき、例えば第１のしきい値未満であるとき、それは、このケースではＢｌｕｅｔｏｏｔｈ信号が比較的弱く、Ｂｌｕｅｔｏｏｔｈ送信電力を比較的大きい値に調節される必要があることを示す。第２の送信リンクの送信電力は比較的高く、その結果、このケースでは、Ｂｌｕｅｔｏｏｔｈ送信リンクが第２の送信リンクであると決定される。そうではなく、取得したＲＳＳＩ値が比較的大きいとき、例えば第１のしきい値より大きいとき、それは、このケースではＢｌｕｅｔｏｏｔｈ信号が比較的強く、比較的高い送信電力は不要であり、このケースでは、Ｂｌｕｅｔｏｏｔｈ送信リンクが第１の送信リンク、言い換えればＢｌｕｅｔｏｏｔｈモジュールの内部電力増幅器の送信リンクであると決定されることを示す。
【００４３】
ステップ７０３：Ｂｌｕｅｔｏｏｔｈ送信リンクが第１の送信リンクであると決定し、Ｂｌｕｅｔｏｏｔｈデバイスは、第１の送信リンクを通じてＢｌｕｅｔｏｏｔｈ信号を送信する。Ｂｌｕｅｔｏｏｔｈ送信リンクが第１の送信リンクであると決定された後、方法はステップ７０５をさらに含み、すなわち、Ｂｌｕｅｔｏｏｔｈチップの電力制御テーブルを高利得クラスに調節する。
【００４４】
従来技術では、例えば、Ｂｌｕｅｔｏｏｔｈ電力制御テーブルは表１であることがある。
【００４５】
【表１】
2019535206.tif 000003
【００４６】
あるいは、Ｂｌｕｅｔｏｏｔｈ電力制御テーブルは表２であることがある。
【００４７】
【表２】
2019535206.tif 000004
【００４８】
前述の表から、ＩＰＡとＥＰＡの組合せの出力電力がより高く、より高い利得クラスがより高い出力電力を示し、Ｂｌｕｅｔｏｏｔｈデバイスの出力電力が飽和する可能性がより高く、その結果、製品送信インジケータ例外が生じ、通信品質に影響を及ぼすことが知られることができる。
【００４９】
本発明のこの実施形態では、前述のＢｌｕｅｔｏｏｔｈ制御テーブル内で改善が行われる。改善後のＢｌｕｅｔｏｏｔｈ制御テーブルの例は以下のようなものであることがある。
【００５０】
【表３】
2019535206.tif 000005
【００５１】
表３から、２つの出力クラスがこの表内に追加されることが知られることができる。元の２つの最低の出力クラス０および１では、ＩＰＡの出力電力も比較的低い。
【００５２】
この実施形態では、Ｂｌｕｅｔｏｏｔｈ送信リンクが第１の送信リンクであると決定された後、Ｂｌｕｅｔｏｏｔｈチップの電力制御テーブルが高利得クラスに調節され、例えば、高利得クラスはクラス２以上であることがある。このケースでは、ＩＰＡの出力電力が比較的高く、それによって、Ｂｌｕｅｔｏｏｔｈデバイスの通信品質と、Ｂｌｕｅｔｏｏｔｈデバイスの比較的低い電力消費とを保証する。
【００５３】
ステップ７０４：Ｂｌｕｅｔｏｏｔｈ送信リンクが第２の送信リンクであると決定し、Ｂｌｕｅｔｏｏｔｈデバイスは、第２の送信リンクを通じてＢｌｕｅｔｏｏｔｈ信号を送信する。Ｂｌｕｅｔｏｏｔｈ送信リンクが第２の送信リンクであると決定された後、方法はステップ７０６をさらに含み、Ｂｌｕｅｔｏｏｔｈチップの電力制御テーブルを低利得クラスに調節する。
【００５４】
表３に示されるように、Ｂｌｕｅｔｏｏｔｈ送信リンクが第１の送信リンクであると決定された後、Ｂｌｕｅｔｏｏｔｈチップの電力制御テーブルが低利得クラスに調節される。例えば、低利得クラスはクラス０またはクラス１であることがある。このケースでは、ＩＰＡとＥＰＡの組合せの出力電力が比較的高い。これは、Ｂｌｕｅｔｏｏｔｈデバイスの飽和した出力電力によって引き起こされる送信インジケータ例外を回避し、それによって、通信品質に影響を及ぼさない。
【００５５】
前述の実施形態で提供されるＢｌｕｅｔｏｏｔｈ通信方法によれば、２つのタイプの送信リンクが提供され、Ｂｌｕｅｔｏｏｔｈデバイスの電力制御テーブルが改善され、その結果、Ｂｌｕｅｔｏｏｔｈデバイスは、実際の状況に基づいて送信電力を調節することができ、それによって、Ｂｌｕｅｔｏｏｔｈデバイスの動作時間を延長すると共に、Ｂｌｕｅｔｏｏｔｈ送信電力を保証する。
【００５６】
図８は、本発明の実施形態によるＢｌｕｅｔｏｏｔｈデバイスの概略構造図である。Ｂｌｕｅｔｏｏｔｈデバイスは、取得ユニット８０１、処理装置８０２、および信号送信ユニット８０３を含む。取得ユニット８０１は、受信信号強度インジケータＲＳＳＩを取得するように構成される。処理装置８０２は、取得したＲＳＳＩを所定の値と比較し、比較結果に基づいてＢｌｕｅｔｏｏｔｈ送信リンクを決定するように構成され、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。信号送信ユニット８０３は、処理装置によって決定されたＢｌｕｅｔｏｏｔｈ送信リンクに基づいてＢｌｕｅｔｏｏｔｈ信号を送信するように構成される。この実施形態で提供されるＢｌｕｅｔｏｏｔｈデバイスは、前述の方法実施形態で説明された通信方法を処理するために使用される。詳細な処理手順については、前述の方法実施形態の説明を参照されたく、本明細書では詳細は再び説明されない。本発明のこの実施形態で提供されるＢｌｕｅｔｏｏｔｈデバイスによれば、送信電力が実際の状況に基づいて調節されることがあり、それによって、Ｂｌｕｅｔｏｏｔｈデバイスの動作時間を延長すると共に、Ｂｌｕｅｔｏｏｔｈ送信電力を保証する。
【００５７】
図９は、本発明の実施形態による別のＢｌｕｅｔｏｏｔｈデバイスの概略構造図である。Ｂｌｕｅｔｏｏｔｈデバイスは２次Ｂｌｕｅｔｏｏｔｈデバイスである。２次Ｂｌｕｅｔｏｏｔｈデバイスは、受信ユニット９０１、取得ユニット８０１、処理装置８０２、および信号送信ユニット８０３を含む。受信ユニット９０１は、１次Ｂｌｕｅｔｏｏｔｈデバイスによって検出された２次ＢｌｕｅｔｏｏｔｈデバイスのＲＳＳＩを１次Ｂｌｕｅｔｏｏｔｈデバイスから受信するように構成される。取得ユニット８０１は、受信信号強度インジケータＲＳＳＩを取得するように構成される。処理装置８０２は、取得したＲＳＳＩを所定の値と比較し、比較結果に基づいてＢｌｕｅｔｏｏｔｈ送信リンクを決定するように構成され、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。信号送信ユニット８０３は、処理装置によって決定されたＢｌｕｅｔｏｏｔｈ送信リンクに基づいてＢｌｕｅｔｏｏｔｈ信号を送信するように構成される。この実施形態で提供されるＢｌｕｅｔｏｏｔｈデバイスは、前述の方法実施形態で説明される通信方法を処理するために使用される。詳細な処理手順については、前述の方法実施形態の説明を参照されたく、本明細書では詳細は再び説明されない。本発明のこの実施形態で提供されるＢｌｕｅｔｏｏｔｈデバイスによれば、送信電力が実際の状況に基づいて調節されることがあり、それによって、Ｂｌｕｅｔｏｏｔｈデバイスの動作時間を延長すると共に、Ｂｌｕｅｔｏｏｔｈ送信電力を保証する。
【００５８】
図１０は、本発明の実施形態によるＢｌｕｅｔｏｏｔｈデバイスの概略構造図である。Ｂｌｕｅｔｏｏｔｈデバイスは、受信機１００１、プロセッサ１００２、および送信機１００３を含む。受信機１００１は、受信信号強度インジケータＲＳＳＩを取得するように構成される。プロセッサ１００２は、取得したＲＳＳＩを所定の値と比較し、比較結果に基づいてＢｌｕｅｔｏｏｔｈ送信リンクを決定するように構成され、Ｂｌｕｅｔｏｏｔｈ送信リンクは第１の送信リンクおよび第２の送信リンクを含み、第１の送信リンクは、Ｂｌｕｅｔｏｏｔｈモジュールの内部電力増幅器の送信リンクであり、第２の送信リンクは、Ｂｌｕｅｔｏｏｔｈモジュールの内部電力増幅器とＢｌｕｅｔｏｏｔｈモジュールの外部電力増幅器の組合せの送信リンクである。信号送信機１００３は、処理装置によって決定されたＢｌｕｅｔｏｏｔｈ送信リンクに基づいてＢｌｕｅｔｏｏｔｈ信号を送信するように構成される。Ｂｌｕｅｔｏｏｔｈデバイスが２次Ｂｌｕｅｔｏｏｔｈデバイスであるとき、受信機１００１は、１次Ｂｌｕｅｔｏｏｔｈデバイスによって検出された２次ＢｌｕｅｔｏｏｔｈデバイスのＲＳＳＩを１次Ｂｌｕｅｔｏｏｔｈデバイスから受信するようにさらに構成される。この実施形態で提供されるＢｌｕｅｔｏｏｔｈデバイスは、前述の方法実施形態で説明される通信方法を処理するために使用される。詳細な処理手順については、前述の方法実施形態の説明を参照されたく、本明細書では詳細は再び説明されない。本発明のこの実施形態で提供されるＢｌｕｅｔｏｏｔｈデバイスによれば、送信電力が実際の状況に基づいて調節されることがあり、それによって、Ｂｌｕｅｔｏｏｔｈデバイスの動作時間を延長すると共に、Ｂｌｕｅｔｏｏｔｈ送信電力を保証する。
【００５９】
本発明の実施形態によれば、本発明の精神および範囲から逸脱することなく、本発明に対する様々な修正および変形を当業者は行うことができる。本発明は、これらの修正および変形を包含するものとする。ただし、それらが以下の特許請求の範囲およびその同等な技術によって定義される保護の範囲内に包含されることを条件とする。
【００６０】
最後に、前述の実施形態は本発明の技術的解決策を説明するためのものに過ぎず、本発明を限定するためのものではないことに留意されたい。本発明が前述の実施形態を参照しながら詳細に説明されるが、本発明の実施形態の技術的解決策の範囲から逸脱することなく、前述の実施形態で説明される技術的解決策に対する修正を行い得、またはそのいくつかの、もしくはすべての技術的特徴に対する同等な置換を行い得ることを当業者は理解されたい。
【図１Ａ】
2019535206.tif 000006
【図１Ｂ】
2019535206.tif 000007
【図２】
2019535206.tif 000008
【図３Ａ】
2019535206.tif 000009
【図３Ｂ】
2019535206.tif 000010
【図４】
2019535206.tif 000011
【図５】
2019535206.tif 000012
【図６】
2019535206.tif 000013
【図７】
2019535206.tif 000014
【図８】
2019535206.tif 000015
【図９】
2019535206.tif 000016
【図１０】
2019535206.tif 000017
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
１次デバイスおよび２次デバイスを備えるシステムであって、前記２次デバイスが、第１の電力増幅器に基づいてＢｌｕｅｔｏｏｔｈ接続を介して前記１次デバイスに接続され、前記２次デバイスが、
前記１次デバイスによって送られた第１の受信信号強度インジケータ（ＲＳＳＩ）を取得すること、
前記第１のＲＳＳＩが第１の条件を満たすとき、第２の電力増幅器をスイッチオンすることであって、前記２次デバイスが、前記第１の電力増幅器および前記第２の電力増幅器に基づいて前記Ｂｌｕｅｔｏｏｔｈ接続を介して前記１次デバイスに接続される、スイッチオンすること、
前記１次デバイスによって送られた第２のＲＳＳＩを取得すること、
前記第２のＲＳＳＩが第２の条件を満たすとき、前記第２の電力増幅器をスイッチオフすることであって、前記２次デバイスが、前記第１の電力増幅器に基づいて前記Ｂｌｕｅｔｏｏｔｈ接続を介して前記１次デバイスに接続される、スイッチオフすること
を行うように構成されるシステム。
【請求項２】
前記第１のＲＳＳＩが第１の条件を満たすときは、
前記第１のＲＳＳＩが第１のしきい値よりも大きいとき
を含む請求項１に記載のシステム。
【請求項３】
前記第１のＲＳＳＩが第２の条件を満たすときは、
前記第１のＲＳＳＩが第２のしきい値未満であるとき
を含む請求項２に記載のシステム。
【請求項４】
前記２次デバイスは電力制御テーブルを含み、前記電力制御テーブルは高利得クラスおよび低利得クラスを含み、前記第１のＲＳＳＩが第１の条件を満たすとき、前記電力制御テーブルが前記高利得クラスに調節され、第２の条件を満たす前記第２のＲＳＳＩが第１の送信リンクであるとき、前記電力制御テーブルが前記低利得クラスに調節される請求項１に記載のシステム。
【請求項５】
前記２次デバイスはＢｌｕｅｔｏｏｔｈチップを備え、前記第１の電力増幅器が前記Ｂｌｕｅｔｏｏｔｈチップの内部に配設され、前記第２の電力増幅器が前記Ｂｌｕｅｔｏｏｔｈチップの外部に配設される請求項１に記載のシステム。
【請求項６】
前記第２のＲＳＳＩが第２の条件を満たすとき、前記２次デバイスのＢｌｕｅｔｏｏｔｈ送信電力が、内部電力増幅器および外部電力増幅器によって増幅される請求項１に記載のシステム。
【請求項７】
前記第１のＲＳＳＩが第１の条件を満たすとき、前記２次デバイスの前記Ｂｌｕｅｔｏｏｔｈ送信電力が、内部電力増幅器によって増幅される請求項６に記載のシステム。
【請求項８】
前記第１のしきい値は第１の所定の値であり、前記第２のしきい値は第２の所定の値であり、前記第１の所定の値は前記第２の所定の値とは異なる請求項２に記載のシステム。
【請求項９】
第１の送信リンクに基づくＢｌｕｅｔｏｏｔｈ接続を介して１次デバイスに接続されるデバイスであって、
少なくとも１つまたは複数のプロセッサと、
少なくとも１つのメモリであって、前記少なくとも１つのプロセッサによって実行されるとき、少なくとも、
第２のデバイスから第１の受信信号強度インジケータ（ＲＳＳＩ）を前記デバイスによって受信すること、
前記第１のＲＳＳＩが前記第１のしきい値未満であるとき、前記第１の送信リンクを第２の送信リンクに前記デバイスによって切り換えることであって、前記第２の送信リンクは、内部電力増幅器と外部電力増幅器の組合せの送信リンクである、切り換えること、
前記第２の送信リンクに基づいて第１のＢｌｕｅｔｏｏｔｈ信号を前記第２のデバイスに、前記デバイスによって送信すること、
前記第２のデバイスから第２の受信信号強度インジケータ（ＲＳＳＩ）を前記デバイスによって受信すること、
前記第２のＲＳＳＩが第２のしきい値よりも大きいとき、前記第２の送信リンクを前記第１の送信リンクに前記デバイスによって切り換えることであって、前記第２の送信リンクは内部電力増幅器の送信リンクである、切り換えること、
前記第１の送信リンクに基づいて第２のＢｌｕｅｔｏｏｔｈ信号を前記第２のデバイスに、前記デバイスによって送信すること
を装置に実施させる命令を含む少なくとも１つのメモリと
を備えるデバイス。
【請求項１０】
さらに、２次デバイスを備え、
前記２次デバイスがＢｌｕｅｔｏｏｔｈチップを備え、第１の電力増幅器が前記Ｂｌｕｅｔｏｏｔｈチップの内部に配設され、第２の電力増幅器が前記Ｂｌｕｅｔｏｏｔｈチップの外部に配設される請求項９に記載のデバイス。
【請求項１１】
前記第２の送信リンクに基づいて第１のＢｌｕｅｔｏｏｔｈ信号を前記第２のデバイスに、前記デバイスによって送信するとき、前記デバイスのＢｌｕｅｔｏｏｔｈ送信電力が、内部電力増幅器および外部電力増幅器によって増幅され、
または前記２次デバイスの前記Ｂｌｕｅｔｏｏｔｈ送信電力が、前記第１の送信リンクに基づいて第２のＢｌｕｅｔｏｏｔｈ信号を前記第２のデバイスに前記デバイスによって送信する時、内部電力増幅器によって増幅される請求項１０に記載のデバイス。
【請求項１２】
前記第１のしきい値が第１の所定の値であり、前記第２のしきい値が第２の所定の値であり、前記第１の所定の値が前記第２の所定の値とは異なる請求項９に記載のデバイス。
【請求項１３】
１次デバイスから第１の受信信号強度インジケータ（ＲＳＳＩ）を２次デバイスによって取得するステップと、
前記第１のＲＳＳＩが第１の条件を満たすとき、第２の電力増幅器を前記２次デバイスによってスイッチオンするステップであって、前記２次デバイスが、第１の電力増幅器および前記第２の電力増幅器に基づいてＢｌｕｅｔｏｏｔｈ接続を介して前記１次デバイスに接続されるステップと、
前記１次デバイスから第２のＲＳＳＩを２次デバイスによって取得するステップと、
前記第２のＲＳＳＩが第２の条件を満たすとき、前記第２の電力増幅器を２次デバイスによってスイッチオフするステップであって、前記２次デバイスが、前記第１の電力増幅器に基づいて前記Ｂｌｕｅｔｏｏｔｈ接続を介して前記１次デバイスに接続されるステップと
を含む方法。
【請求項１４】
前記第１のＲＳＳＩが第１の条件を満たすときは、
前記第１のＲＳＳＩが第１のしきい値よりも大きいとき
を含む請求項１３に記載の方法。
【請求項１５】
前記第１のＲＳＳＩが第２の条件を満たすときは、
前記第１のＲＳＳＩが第２のしきい値未満であるとき
を含む請求項１４に記載の方法。
【請求項１６】
前記２次デバイスは電力制御テーブルを含み、前記電力制御テーブルは高利得クラスおよび低利得クラスを含み、前記第１のＲＳＳＩが第１の条件を満たすとき、前記電力制御テーブルが前記高利得クラスに調節され、第２の条件を満たす前記第２のＲＳＳＩが第１の送信リンクであるとき、前記電力制御テーブルが前記低利得クラスに調節される請求項１３に記載の方法。
【請求項１７】
前記２次デバイスはＢｌｕｅｔｏｏｔｈチップを備え、前記第１の電力増幅器が前記Ｂｌｕｅｔｏｏｔｈチップの内部に配設され、前記第２の電力増幅器が前記Ｂｌｕｅｔｏｏｔｈチップの外部に配設される請求項１３に記載の方法。
【請求項１８】
前記第２のＲＳＳＩが第２の条件を満たすとき、前記２次デバイスのＢｌｕｅｔｏｏｔｈ送信電力が、内部電力増幅器および外部電力増幅器によって増幅される請求項１７に記載の方法。
【請求項１９】
前記第１のＲＳＳＩが第１の条件を満たすとき、前記２次デバイスの前記Ｂｌｕｅｔｏｏｔｈ送信電力が、内部電力増幅器によって増幅される請求項１８に記載の方法。
【請求項２０】
前記第１のしきい値は第１の所定の値であり、前記第２のしきい値は第２の所定の値であり、前記第１の所定の値は前記第２の所定の値とは異なる請求項１３に記載の方法。
【手続補正２】
【補正対象書類名】明細書
【補正対象項目名】００１２
【補正方法】変更
【補正の内容】
【００１２】
可能なケースでは、Ｂｌｕｅｔｏｏｔｈデバイスは２次Ｂｌｕｅｔｏｏｔｈデバイスである。２次Ｂｌｕｅｔｏｏｔｈデバイスは、１次Ｂｌｕｅｔｏｏｔｈデバイスによって検出された２次ＢｌｕｅｔｏｏｔｈデバイスのＲＳＳＩを１次Ｂｌｕｅｔｏｏｔｈデバイスから受信するように構成された受信ユニットを含む。この実施形態で提供される解決策によれば、２次Ｂｌｕｅｔｏｏｔｈデバイスは、２次ＢｌｕｅｔｏｏｔｈデバイスのＲＳＳＩを検出する必要がなく、それによって、２次Ｂｌｕｅｔｏｏｔｈデバイスの構造を簡略化し、２次Ｂｌｕｅｔｏｏｔｈデバイスのコストを削減する。
【手続補正３】
【補正対象書類名】図面
【補正対象項目名】図７
【補正方法】変更
【補正の内容】
【図７】
2019535206.tif 000018
【国際調査報告】
2019535206.tif 000019
2019535206.tif 000020
2019535206.tif 000021
2019535206.tif 000022